(57)【要約】      （修正有）【課題】間接工具を利用して容易に取り付けられる構造を有し、引下線の端末部分が挿入された状態において、引下線の端末部分から容易に外れない引下線用端末保護具を提供すること。【解決手段】引下線の先端に露出する導線を電気的に絶縁して覆う引下線用端末保護具１であって、引下線が挿入される挿入孔１２を有し、引下線の先端を覆う引下線被覆部１０と、挿入孔の手前に配置され、引下線が挿入孔に挿入されたときに、引下線の被覆部材の周面に圧接するための第１凸片２２Ａを有する第１挟持体２２と、引下線の被覆部材の周面に圧接するための第２凸片２３Ａを有し、第１挟持体と共に引下線を挟持する第２挟持体２３と、を有する挟持部２０と、を備える。【選択図】図２
2017099073.tif 000002
【特許請求の範囲】
【請求項１】
引下線の先端に露出する導線を電気的に絶縁して覆う引下線用端末保護具であって、
前記引下線が挿入される挿入孔を有し、前記引下線の先端を覆う引下線被覆部と、
前記挿入孔の手前に配置され、前記引下線が前記挿入孔に挿入されたときに、前記引下線の被覆部材の周面に圧接するための第１凸片を有する第１挟持体と、前記引下線の前記被覆部材の周面に圧接するための第２凸片を有し、前記第１挟持体と共に前記引下線を挟持する第２挟持体と、を有する挟持部と、
を備えることを特徴とする引下線用端末保護具。
【請求項２】
前記第１挟持体は、前記引下線被覆部に結合され、
前記第２挟持体は、前記挿入孔に挿入される方向を軸にして、前記引下線が挿入されたときに前記第１挟持体と共に前記引下線を挟み込むように回転する
ことを特徴とする請求項１に記載の引下線用端末保護具。
【請求項３】
前記引下線被覆部は、内部の空間が、前記引下線を案内できるように前記引下線が挿入される方向に向かうに従って小さくなる略円錐台形状を呈している
ことを特徴とする請求項１又は請求項２に記載の引下線用端末保護具。
【請求項４】
前記引下線被覆部は、前記引下線が挿入される方向の先端部分に前記引下線の先端から延出する導体の形状に合わせた導体収容部を有する
ことを特徴とする請求項１又は請求項３に記載の引下線用端末保護具。
【請求項５】
前記第１凸片及び前記第２凸片が樹脂製材料で形成されている
ことを特徴とする請求項１乃至請求項４の何れか一項に記載の引下線用端末保護具。
【請求項６】
前記挟持部は、前記引下線を挟持した状態を保持するための保持部を有する
ことを特徴とする請求項１乃至請求項５の何れか一項に記載の引下線用端末保護具。
【請求項７】
前記保持部は、突起状の第１保持部と前記第１保持部に引っかかる第２保持部とからなる
ことを特徴とする請求項６に記載の引下線用端末保護具。
【発明の詳細な説明】
【技術分野】
【０００１】
本発明は、引下線用端末保護具に関する。
【背景技術】
【０００２】
例えば、引下線の端末に冠着される引下線用端末キャップが知られている（例えば特許文献１）。
【先行技術文献】
【特許文献】
【０００３】
【特許文献１】特願平７−２３９１４２号公報
【発明の概要】
【発明が解決しようとする課題】
【０００４】
例えば、配電線作業において、切断された引下線の端末部分に引下線用端末キャップが取り付けられる。配電線作業が完了するまでの間、端末部分に引下線用端末キャップを取り付けた状態が保持される。引下線線用端末キャップを端末部分に取り付けた状態が長期に及ぶ場合、強風などの外的要因によって引下線用端末キャップが端末部分から外れる虞があった。つまり、引下線用端末キャップには、引下線の端末部分から外れない密着性が求められる。
【０００５】
そこで、本発明は、間接工具を利用して容易に取り付けられる構造を有し、引下線の端末部分が挿入された状態において、引下線の端末部分から容易に外れない引下線用端末保護具を提供することを目的とする。
【課題を解決するための手段】
【０００６】
前述した課題を解決する主たる本発明は、引下線の先端に露出する導線を電気的に絶縁して覆う引下線用端末保護具であって、前記引下線が挿入される挿入孔を有し、前記引下線の先端を覆う引下線被覆部と、前記挿入孔の手前に配置され、前記引下線が前記挿入孔に挿入されたときに、前記引下線の被覆部材の周面に圧接する第１凸片を有する第１挟持体と、前記引下線の前記被覆部材の周面に圧接する第２凸片を有し、前記第１挟持体と共に前記引下線を挟持する第２挟持体と、を有する挟持部と、を備えることを特徴とする。
【０００７】
本発明の他の特徴については、添付図面及び本明細書の記載により明らかとなる。
【発明の効果】
【０００８】
本発明によれば、引下線の端末部分と引下線用端末保護具とを強固に接続固定することができるため、引下線から引下線用端末保護具の脱落を防止することができる。
【図面の簡単な説明】
【０００９】
【図１】本実施形態に係る引下線用端末保護具を示す斜視図である。
【図２】本実施形態に係る引下線用端末保護具が開いた状態を示す斜視図である。
【図３】本実施形態に係る引下線用端末保護具を＋Ｘ方向に向かって見た状態を示すＡ−Ａ断面図である。
【図４】本実施形態に係る引下線用端末保護具の使用状態を示す斜視図である。
【発明を実施するための形態】
【００１０】
本明細書および添付図面の記載により、少なくとも以下の事項が明らかとなる。
【００１１】
図１は、本実施形態に係る引下線用端末保護具を示す斜視図である。図２は、本実施形態に係る引下線用端末保護具が開いた状態を示す斜視図である。図３は、本実施形態に係る引下線用端末保護具を＋Ｘ方向に向かって見た状態を示すＡ−Ａ断面図である。図４は、本実施形態に係る引下線用端末保護具の使用状態を示す斜視図である。Ｘ軸は引下線用端末保護具の長手方向の中心に沿う軸であり、Ｙ軸はＸ軸及びＺ軸に直交する軸であり、Ｚ軸はＸ軸及びＹ軸に直交する軸である。尚、図１〜図４においては、同一であるものには同一引用数字を用いている。
【００１２】
＝＝＝構成＝＝＝
以下、図１〜図４を参照しつつ、本実施形態に係る引下線用端末保護具について説明する。
【００１３】
引下線用端末保護具１は、高圧引下線１００の端末部分の導体１１０が露出している状況において、端末部分を電気的に絶縁するために、導体１１０に被せる道具である。引下線用端末保護具１は、特に、高圧引下線１００に対して使用される。引下線用端末保護具１は、引下線被覆部１０、挟持部２０を含んで構成されている。
【００１４】
＜＜引下線被覆部＞＞
引下線被覆部１０は、高圧引下線１００の露出している導体部分（以下、「導体１１０」と称する。）を電気的に絶縁して覆う部材である。引下線被覆部１０は、例えば外形が円柱形状を呈し、例えば絶縁材料で形成されている。絶縁材料には、例えばポリエチレン材料が使用されることが好ましい。引下線被覆部１０は、被覆部本体１１、挿入孔１２、引下線案内部１３、導体収容部１４を含んで構成されている。
【００１５】
被覆部本体１１は、導体１１０が引下線被覆部１０に挿入された状態で、導体１１０を電気的に絶縁保護する部材である。被覆部本体１１は、引下線被覆部１０の外形（円柱形状）を形成し、例えば絶縁材料で形成されている。絶縁材料は、例えばポリエチレン材料が使用されることが好ましい。
【００１６】
挿入孔１２は、高圧引下線１００の端末部分が被覆部本体１１内に挿入される孔である。挿入孔１２は、例えば被覆部本体１１の−Ｘ端面の中央部に円形状を呈して設けられ、高圧引下線１００が挿入できる程度の拡がりを有する孔である。
【００１７】
引下線案内部１３は、被覆部本体１１の内部に設けられる空洞であって、挿入孔１２に挿入される高圧引下線１００を被覆部本体１１の＋Ｘ端部に向かって案内する部分である。引下線案内部１３は、例えば挿入孔１２から＋Ｘ方向に向かうに従って狭くなる略円錐台形状を呈している。つまり、高圧引下線１００が挿入孔１２に挿入されると、高圧引下線１００の末端部分はＸ軸に対して傾斜する略円錐台形状の内周面に沿って被覆部本体１１の＋Ｘ端部に案内される。
【００１８】
導体収容部１４は、引下線案内部１３の＋Ｘ端部に連続的に設けられる空洞であって、高圧引下線１００の端末部分から突出している導体１１０を収容する部分である。導体収容部１４は、例えば導体１１０を収容することができる程度の拡がりを有する空洞であって、円柱形状を呈している。つまり、高圧引下線１００の導体１１０が被覆部本体１１の＋Ｘ端部に到達すると、導体１１０が導体収容部１４に収容される。
【００１９】
上記おいて、引下線案内部１３は、略円錐台形状であると説明したが、これに限定されない。例えば、円柱形状でもよく、高圧引下線１００の端末部分が収容される空洞が設けられていればよい。又、上記において、導体収容部１４が設けられているとして説明したが、これに限定されない。例えば、導体収容部１４が設けられていなくてもよい。
【００２０】
＜＜挟持部＞＞
挟持部２０は、高圧引下線１００が引下線被覆部１０に挿入された状態において、高圧引下線１００の被覆部材１２０を挟持する部材である。挟持部２０は、被覆部材１２０を挟持すると、高圧引下線１００が引下線用端末保護具１から抜けないように保持される。挟持部２０は、例えば円筒形状を呈し、例えば絶縁材料で形成されている。絶縁材料には、例えばポリエチレン材料が使用されることが好ましい。挟持部２０は、＋Ｘ端面の外縁が、引下線被覆部１０の−Ｘ端面の外縁に合致するように形成され、引下線被覆部１０の−Ｘ端面の外縁に接続されている。ただし、後述する第２挟持体２３がＸ軸に沿う軸を中心にして回動できるように、後述する第１挟持体２２の＋Ｘ端面のみが引下線被覆部１０の−Ｘ端面に接続されていることとする。挟持部２０は、挟持部本体２１、保持部２４を含んで構成されている。
【００２１】
挟持部本体２１は、高圧引下線１００が引下線被覆部１０に挿入された状態で、高圧引下線１００を電気的に絶縁保護する部材である。挟持部本体２１は、挟持部２０の外形（円筒形状）を形成し、例えば絶縁材料で形成されている。絶縁材料には、例えばポリエチレン材料が使用されることが好ましい。挟持部本体２１は、第１挟持体２２、第２挟持体２３を含んで構成されている。
【００２２】
第１挟持体２２は、例えば挟持部本体２１をＸ軸に沿って半分に分割した一方の部材である。つまり、第１挟持体２２は、Ｘ軸に沿ってＸＹ面上に第１窪み２２Ｂを有する半円筒形状を呈している。第１挟持体２２は、＋Ｘ端面が引下線被覆部１０の−Ｘ端面に接続されている。第１挟持体２２は、第１窪み２２Ｂ部分のほぼ全面に渡って第１凸片２２Ａが設けられている。
【００２３】
第１凸片２２Ａは、例えば同一シート上から突出する複数の突出部分で構成されている。第１凸片２２Ａは、例えば第１挟持体２２に接着材等で強固に接着されている。第１凸片２２Ａは、引下線被覆部１０に高圧引下線１００が挿入され、第１挟持体２２と第２挟持体２３とが閉じられた状態で、例えば突起状の凸部が引下線被覆部１０の被覆部材１２０に食い込むように鋭利な形状を呈し、例えば絶縁材料で形成されている。第１凸片２２Ａの先端は、例えば円筒形状の挟持部２０の中心軸（Ｘ軸）に向くように設けられている。
【００２４】
第２挟持体２３は、例えば挟持体をＸ軸に沿って半分に分割した他方の部材である。つまり、第２挟持体２３は、Ｘ軸に沿って第２窪み２３Ｂを有するように半円筒形状を呈している。第２挟持体２３は、第１挟持体２２の＋Ｙ端部に、回動部材を介して回動可能に接続されている。つまり、第２挟持体２３は、第１挟持体２２との関係において、開いた状態及び閉じた状態をとることができる。開いた状態とは、図３のように、第１挟持体２２の第１窪み２２Ｂと第２挟持体２３の第２窪み２３ＢとがＸＹ平面において隣り合うように配置されている状態をいう。閉じた状態とは、図１のように、第１挟持体２２の第１窪み２２Ｂと第２挟持体２３の第２窪み２３Ｂとによって円柱形状の空洞が形成される状態をいう。第２挟持体２３は、第２窪み２３Ｂ部分のほぼ全面に渡って第２凸片２３Ａが設けられている。
【００２５】
第２凸片２３Ａは、第１挟持体２２における第１凸片２２Ａと同様に、第２挟持体２３に設けられ、第１凸片２２Ａと同様の形状及び材料で形成されている。
【００２６】
保持部２４は、第１挟持体２２と第２挟持体２３とが閉じた状態を保持するための部材である。保持部２４は、例えば一対（第１保持部２４Ａ、第２保持部２４Ｂ）で構成され、平板形状を呈し、例えば絶縁材料で形成されている。絶縁材料には、例えばポリエチレン材料が使用されることが好ましい。保持部２４は、挟持部本体２１（第１挟持体２２と第２挟持体２３）が閉じた状態において、挟持部本体の−Ｙ端部に設けられている。保持部２４は、第１保持部２４Ａ、第２保持部２４Ｂを含んで構成されている。第１保持部２４Ａは、平板上に、例えば後述する第２保持部２４Ｂの枠２４Ｂ１に引っ掛けられる突出した切欠き２４Ａ１を有して形成されている。第２保持部２４Ｂは、平板上に、例えば第１保持部２４Ａの切欠き２４Ａ１が引っ掛けられる枠２４Ｂ１で形成されている。つまり、図３のように、第１保持部２４Ａの切欠き２４Ａ１が第２保持部２４Ｂの枠２４Ｂ１に引っ掛けられて、挟持部本体２１が閉じた状態を保持できる。尚、第１保持部２４Ａと第２保持部２４Ｂとは、挟持部本体２１が閉じた状態において、平板面が重なり合うように配置されている。
【００２７】
尚、上記において、第１挟持体２２及び第２挟持体２３は第１窪み２２Ｂ及び第２窪み２３Ｂの部分のほぼ全面に渡って第１凸片２２Ａ及び第２凸片２３Ａが設けられているとして説明したが、これに限定されない。例えば、全面である必要はなく、隙間を有して設けられていてもよい。又、上記において、第１凸片２２Ａ及び第２凸片２３Ａは、同一シート上から突出する複数の突出部分で構成されているとして説明したが、これに限定されない。例えば、同一シート上から突出している必要はなく、複数の突出部分が夫々別々に設けられていてもよい。又、上記において、第１凸片２２Ａ及び第２凸片２３Ａはポリエチレン材料で形成されているとして説明したが、これに限定されない。ポリエチレン材料である必要はなく、絶縁材料であれば材質を限定するものではない。
【００２８】
＝＝＝手順＝＝＝
以下、図４を参照しつつ、本実施形態に係る引下線用端末保護具１の設置手順について説明する。図４は、本実施形態に係る引下線用端末保護具１の使用状態を示す斜視図である。
【００２９】
先ず、作業員は、変圧器等から切り離された高圧引下線１００の端末部分を確認する。作業員は、高圧引下線１００の端末部分の導体１１０を露出させるために被覆除去工具（不図示）を準備する。作業員は、被覆除去工具（不図示）を利用して、高圧引下線１００の端末部分の被覆部材１２０を取り除いて導体１１０を露出させる。尚、端末部分の被覆部材１２０を取り除かずに、次の工程に移ってもよい。
【００３０】
次に、作業員は、引下線用端末保護具１を準備する。作業員は、図４のように、第１挟持体２２と第２挟持体２３とが開いた状態にする。作業員は、間接工具１３０で引下線用端末保護具１と高圧引下線１００とを掴んで接近させる。
【００３１】
次に、作業員は、引下線被覆部１０に高圧引下線１００の端末部分を挿入する。作業員は、間接工具１３０から伝わってくる感触で、高圧引下線１００の端末部分が引下線用端末保護具１の先端部分に到達したことを確認する。このとき、引下線用端末保護具１の導体収容部１４に高圧引下線１００の導体１１０が収容されている。
【００３２】
次に、作業員は、第１保持部２４Ａと第２保持部２４Ｂとを掛け合わせるために、挟持部本体２１を閉じる。第１保持部２４Ａと第２保持部２４Ｂとを掛け合わせる際には、間接工具１３０で第１保持部２４Ａと第２保持部２４Ｂの平板部分を挟持して、両方が掛け合って外れないことを確認する。
【００３３】
上記の作業により、高圧引下線１００の先端の導体１１０は、引下線用端末保護具１によって絶縁保護される。
【００３４】
以上説明したように、本実施形態に係る引下線用端末保護具１は、高圧引下線１００の先端に露出する導線を電気的に絶縁して覆う引下線用端末保護具１であって、高圧引下線１００が挿入される挿入孔１２を有し、高圧引下線１００の先端を覆う引下線被覆部１０と、挿入孔１２の手前に配置され、高圧引下線１００が挿入孔１２に挿入されたときに、高圧引下線１００の被覆部材１２０の周面に圧接するための第１凸片２２Ａを有する第１挟持体２２と、高圧引下線１００の被覆部材１２０の周面に圧接するための第２凸片２３Ａを有し、第１挟持体２２と共に高圧引下線１００を挟持する第２挟持体２３と、を有する挟持部２０と、を備えることを特徴とする。そして、本実施形態によれば、挟持部２０が閉じられると、高圧引下線１００の被覆部材１２０の周面に第１凸片２２Ａと第２凸片２３Ａとが食い込んで、高圧引下線１００が挟持されるため、引下線用端末保護具１が高圧引下線１００から容易に脱落しない。
【００３５】
又、本実施形態に係る引下線用端末保護具１において、第１挟持体２２は、引下線被覆部１０に結合され、第２挟持体２３は、挿入孔１２に挿入される方向を軸にして、高圧引下線１００が挿入されたときに第１挟持体２２と共に高圧引下線１００を挟み込むように回転することを特徴とする。そして、本実施形態によれば、第１挟持体２２が開閉されるために、作業員は高圧引下線１００を挿入孔１２に挿入しやすくなる。
【００３６】
又、本実施形態に係る引下線用端末保護具１において、引下線被覆部１０は、内部の空間が、高圧引下線１００を案内できるように高圧引下線１００が挿入される方向に向かうに従って小さくなる略円錐台形状を呈していることを特徴とする。そして、本実施形態によれば、高圧引下線１００が引下線用端末保護具１の奥に向かって案内されるために、引下線用端末保護具１のより深くに高圧引下線１００の端末部分を挿入できる。
【００３７】
又、本実施形態に係る引下線用端末保護具１において、引下線被覆部１０は、高圧引下線１００が挿入される方向の先端部分に高圧引下線１００の先端から延出する導体１１０の形状に合わせた導体収容部１４を有することを特徴とする。そして、本実施形態によれば、引下線用端末保護具１の先端まで高圧引下線１００を挿入でき、導体１１０が導体収容部１４に収容されるため、高圧引下線１００の中心軸が固定される。
【００３８】
又、本実施形態に係る引下線用端末保護具１において、第１凸片２２Ａ及び第２凸片２３Ａが樹脂製材料で形成されていることを特徴とする。そして、本実施形態によれば、第１凸片２２Ａ及び第２凸片２３Ａに安価な絶縁材料を用いることでコスト縮減が図れる。
【００３９】
又、本実施形態に係る引下線用端末保護具１において、挟持部２０は、高圧引下線１００を挟持した状態を保持するための保持部２４を有することを特徴とする。そして、本実施形態によれば、挟持部が閉じた状態を強固に保持できる。
【００４０】
又、本実施形態に係る引下線用端末保護具１において、保持部２４は、突起状の第１保持部２４Ａと第１保持部２４Ａに引っかかる第２保持部２４Ｂとからなることを特徴とする。そして、本実施形態によれば、挟持部が閉じた状態を強固に保持できる。
【００４１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４２】
１  引下線用端末保護具
１０  引下線被覆部
１２  挿入孔
１４  導体収容部
２０  挟持部
２２  第１挟持体
２２Ａ  第１凸片
２３  第２挟持体
２３Ａ  第２凸片
２４  保持部
２４Ａ  第１保持部
２４Ｂ  第２保持部
１００  高圧引下線
１１０  導体
１２０  被覆部材
【図１】
2017099073.tif 000003
【図２】
2017099073.tif 000004
【図３】
2017099073.tif 000005
【図４】
2017099073.tif 000006